(57)【特許請求の範囲】
【請求項１】
１以上の外部装置との間で所定の周波数帯域を使用して無線通信を行う通信装置において、
前記所定の周波数帯域を区分けした複数の帯域を個別に示す複数の第１無線チャンネルの一部または全部について、その第１無線チャンネルの使用状況を検出する状況検出手段と、
その状況検出手段により検出される前記複数の第１無線チャンネルの使用状況に基づいて、所定数の第１無線チャンネルで構成される拡散チャンネルを設定する拡散チャンネル設定手段と、
その拡散チャンネル設定手段により設定された拡散チャンネルを構成する第１無線チャンネルの一つを第１周期毎に選択する選択手段と、
その選択手段により選択された第１無線チャンネルを使用して第１通信装置と無線通信を行う第１無線通信手段と、
前記複数の第１無線チャンネルのうち連続する第１無線チャンネルに対応する帯域を含んで構成される複数の第２無線チャンネルの一つを継続的に使用して第２通信装置と無線通信を行う第２無線通信手段と、
前記第２無線チャンネルに対して、前記拡散チャンネル設定手段により設定された拡散チャンネルを構成する第１無線チャンネルが重複する量を示す重複値を検出する重複検出手段と、
その重複検出手段により検出される重複値が所定値以下となる第２無線チャンネルを、前記第２無線通信手段が無線通信に使用するチャンネルに設定する第２チャンネル設定手段とを備えていることを特徴とする通信装置。
【請求項２】
前記第２チャンネル設定手段は、前記拡散チャンネルを構成する第１無線チャンネルが含まれない第２無線チャンネルを優先して、前記第２無線通信手段が無線通信に使用するチャンネルに設定することを特徴とする請求項１記載の通信装置。
【請求項３】
前記第２チャンネル設定手段は、全ての前記第２無線チャンネルに対して前記拡散チャンネルを構成する第１無線チャンネルが含まれる場合、前記第１無線チャンネルが含まれる数が最も少ない第２無線チャンネルを前記第２無線通信手段が無線通信に使用するチャンネルに設定することを特徴とする請求項１または２記載の通信装置。
【請求項４】
前記第２無線通信手段は、スペクトラム拡散方式により前記第２通信装置と無線通信を行うように構成され、
前記状況検出手段は、前記複数の第１無線チャンネルの一部または全部についての使用状況として、その第１無線チャンネルに対応する帯域において受信される電波の強度を検出し、
前記第２チャンネル設定手段は、前記第２無線通信手段による無線通信に使用される第２無線チャンネルの選択肢が複数存在する場合、その複数存在する第２無線チャンネルのうち、前記第２無線チャンネルに対応する帯域の中心に位置する第１無線チャンネルの電波の強度が最も弱い第２無線チャンネルを、前記第２無線通信手段が無線通信に使用するチャンネルに設定することを特徴とする請求項２または３記載の通信装置。
【請求項５】
前記状況検出手段は、前記複数の第１無線チャンネルの一部または全部についての使用状況として、その第１無線チャンネルに対応する帯域において受信される電波の強度を検出し、
前記拡散チャンネル設定手段は、前記状況検出手段により検出される電波の強度が弱い順に、前記所定数の第１無線チャンネルを設定することを特徴とする請求項１から４のいずれかに記載の通信装置。
【請求項６】
前記状況検出手段により前記第１無線チャンネルの使用状況が検出されている間、前記第１無線通信手段および第２無線通信手段が行う無線通信の送信を禁止する送信禁止手段を備えていることを特徴とする請求項１から５のいずれかに記載の通信装置。
【請求項７】
前記重複検出手段は、
前記第２無線チャンネルのそれぞれについて、前記拡散チャンネルを構成する第１無線チャンネルが含まれる数を計数する計数手段を備え、
前記計数手段により計数される前記第１無線チャンネルの数を、前記重複する量を示す重複値として検出することを特徴とする請求項１から６のいずれかに記載の通信装置。
【発明の詳細な説明】
【技術分野】
【０００１】
本発明は、通信装置に関するものである。
【背景技術】
【０００２】
従来より、所定の周波数帯域を使用してデータ通信や通話を行う通信装置が知られている。この種の通信装置では、データ通信や通話に使用される周波数帯域が重複して使用される。例えば、データ通信等を目的とした無線ＬＡＮ（Ｌｏｃａｌ  Ａｒｅａ  Ｎｅｔｗｏｒｋ）や、通話を目的としたデジタルコードレス電話（以下、「ＤＣＬ（Ｄｉｇｉｔａｌ  Ｃｏｒｄｌｅｓｓ）」と称する）は、いずれも２．４ＧＨｚ帯という同一の周波数帯域を使用する。
【０００３】
ここで、図８を参照して、無線ＬＡＮおよびＤＣＬで使用される周波数帯域及び周波数チャンネルについて説明する。図８は、無線ＬＡＮおよびＤＣＬで使用される周波数帯域及び周波数チャンネルを示した概略図である。
【０００４】
図８に示すように、無線ＬＡＮ、ＤＣＬの各通信方式は、いずれも２．４ＧＨｚから２．５ＧＨｚまでの周波数帯域（２．４ＧＨｚ帯）を使用している。そして、無線ＬＡＮやＤＣＬの通信方式に対応して、周波数帯域内を複数分割したチャンネルが設定されている。なお、各々の通信方式におけるチャンネルを区別するために、以下、無線ＬＡＮで使用されるチャンネルを無線ＬＡＮチャンネルと称し、ＤＣＬで使用されるチャンネルをＤＣＬチャンネルと称する。
【０００５】
無線ＬＡＮでは、２．４ＧＨｚから２．５ＧＨｚまでの周波数帯域が１４の無線ＬＡＮチャンネル（ｗｃｈ１〜ｗｃｈ１４）に分けられている。そして、無線ＬＡＮでは、１４の無線ＬＡＮチャンネルのうち、１つの無線ＬＡＮチャンネルが継続して使用される。
【０００６】
一方、ＤＣＬでは、２．４ＧＨｚから２．５ＧＨｚまでの周波数帯域が８９のＤＣＬチャンネル（ｄｃｈ１〜ｄｃｈ８９）に分けられている。そして、ホッピング周期と称される所定の周期（例えば、１／１００秒）毎に、８９あるＤＣＬチャンネルのうち予め選択された例えば４５のＤＣＬチャンネルの間で、使用されるＤＣＬチャンネルが変更（ホッピング）される。
【０００７】
上述したような通信方式が２以上混在するような状況下では、同一の周波数帯域が各々の通信方式によって使用されるので、各々の通信方式の間で電波干渉が生ずる恐れがある。
【０００８】
これに対し、次の特許文献１の通信装置は、無線ＬＡＮの通信方式において、アクセスポイント（ＡＰ）を介さずに外部装置と直接無線通信が行えると共に、その外部装置との間の無線通信に使用する無線ＬＡＮチャンネルを任意に選択できるアドホックモードを使用し、電波干渉が最も少ない無線ＬＡＮチャンネルを選択して外部装置との間で無線通信を行うことで電波干渉を低減させている。
【特許文献１】特開２００５−０６４５５２号公報（０１１１段落など）
【発明の開示】
【発明が解決しようとする課題】
【０００９】
しかしながら、上述した特許文献１に記載された技術を無線ＬＡＮとＤＣＬとを有する通信装置に適用した場合には、電波干渉が最も少ないチャンネルを無線ＬＡＮチャンネルに選択したとしても、ＤＣＬにより使用される例えば４５のＤＣＬチャンネルとの周波数帯域の重複を避けられないので、互いに電波干渉が生じてＤＣＬの通話品質が低下するという問題点があった。
【００１０】
本発明は上述した問題点を解決するためになされたものであり、ＤＣＬが受ける電波干渉を抑制することができる通信装置を提供することを目的とする。
【課題を解決するための手段】
【００１１】
この目的を達成するために、請求項１記載の通信装置は、１以上の外部装置との間で所定の周波数帯域を使用して無線通信を行うものであり、前記所定の周波数帯域を区分けした複数の帯域を個別に示す複数の第１無線チャンネルの一部または全部について、その第１無線チャンネルの使用状況を検出する状況検出手段と、その状況検出手段により検出される前記複数の第１無線チャンネルの使用状況に基づいて、所定数の第１無線チャンネルで構成される拡散チャンネルを設定する拡散チャンネル設定手段と、その拡散チャンネル設定手段により設定された拡散チャンネルを構成する第１無線チャンネルの一つを第１周期毎に選択する選択手段と、その選択手段により選択された第１無線チャンネルを使用して第１通信装置と無線通信を行う第１無線通信手段と、前記複数の第１無線チャンネルのうち連続する第１無線チャンネルに対応する帯域を含んで構成される複数の第２無線チャンネルの一つを継続的に使用して第２通信装置と無線通信を行う第２無線通信手段と、前記第２無線チャンネルに対して、前記拡散チャンネル設定手段により設定された拡散チャンネルを構成する第１無線チャンネルが重複する量を示す重複値を検出する重複検出手段と、その重複検出手段により検出される重複値が所定値以下となる第２無線チャンネルを、前記第２無線通信手段が無線通信に使用するチャンネルに設定する第２チャンネル設定手段とを備えている。
【００１２】
請求項２記載の通信装置は、請求項１記載の通信装置において、前記第２チャンネル設定手段は、前記拡散チャンネルを構成する第１無線チャンネルが含まれない第２無線チャンネルを優先して、前記第２無線通信手段が無線通信に使用するチャンネルに設定する。
【００１３】
請求項３記載の通信装置は、請求項１または２記載の通信装置において、前記第２チャンネル設定手段は、全ての前記第２無線チャンネルに対して前記拡散チャンネルを構成する第１無線チャンネルが含まれる場合、前記第１無線チャンネルが含まれる数が最も少ない第２無線チャンネルを前記第２無線通信手段が無線通信に使用するチャンネルに設定する。
【００１４】
請求項４記載の通信装置は、請求項２または３記載の通信装置において、前記第２無線通信手段は、スペクトラム拡散方式により前記第２通信装置と無線通信を行うように構成され、前記状況検出手段は、前記複数の第１無線チャンネルの一部または全部についての使用状況として、その第１無線チャンネルに対応する帯域において受信される電波の強度を検出し、前記第２チャンネル設定手段は、前記第２無線通信手段による無線通信に使用される第２無線チャンネルの選択肢が複数存在する場合、その複数存在する第２無線チャンネルのうち、前記第２無線チャンネルに対応する帯域の中心に位置する第１無線チャンネルの電波の強度が最も弱い第２無線チャンネルを、前記第２無線通信手段が無線通信に使用するチャンネルに設定する。
【００１５】
請求項５記載の通信装置は、請求項１から４のいずれかに記載の通信装置において、前記状況検出手段は、前記複数の第１無線チャンネルの一部または全部についての使用状況として、その第１無線チャンネルに対応する帯域において受信される電波の強度を検出し、前記拡散チャンネル設定手段は、前記状況検出手段により検出される電波の強度が弱い順に、前記所定数の第１無線チャンネルを設定する。
【００１６】
請求項６記載の通信装置は、請求項１から５のいずれかに記載の通信装置において、前記状況検出手段により前記第１無線チャンネルの使用状況が検出されている間、前記第１無線通信手段および第２無線通信手段が行う無線通信の送信を禁止する送信禁止手段を備えている。
【００１７】
請求項７記載の通信装置は、請求項１から６のいずれかに記載の通信装置において、前記重複検出手段は、前記第２無線チャンネルのそれぞれについて、前記拡散チャンネルを構成する第１無線チャンネルが含まれる数を計数する計数手段を備え、前記計数手段により計数される前記第１無線チャンネルの数を、前記重複する量を示す重複値として検出する。
【発明の効果】
【００１８】
請求項１記載の通信装置によれば、複数の帯域を個別に示す複数の第１無線チャンネルの一部または全部の使用状況が状況検出手段により検出され、その使用状況に基づいて所定数の第１無線チャンネルで構成される拡散チャンネルが拡散チャンネル設定手段により設定される。その拡散チャンネルを構成する第１無線チャンネルの一つが選択手段により第１周期毎に選択され、その選択された第１無線チャンネルにより第１通信装置との間の無線通信が第１無線通信手段により行われる。そして、連続する第１無線チャンネルに対応する帯域を含んで構成される複数の第２無線チャンネルに対して、拡散チャンネルを構成する第１無線チャンネルが重複する量を示す重複値が重複検出手段により検出され、その重複値が所定値以下となる第２無線チャンネルが、第２チャンネル設定手段により設定され、その設定された第２無線チャンネルにより第２通信装置との間の無線通信が第２無線通信手段により行われる。よって、第１無線通信手段が無線通信に使用する帯域と、第２無線通信手段が無線通信に使用する帯域との重複値を所定値以下にできるので、第１無線通信手段および第２無線通信手段によって同時に無線通信が行われた場合でも、第１無線通信手段による無線通信が、第２無線通信手段による無線通信から受ける電波干渉を抑制することができるという効果がある。
【００１９】
請求項２記載の通信装置によれば、請求項１記載の通信装置の奏する効果に加え、第２チャンネル設定手段は、拡散チャンネルを構成する第１無線チャンネルが含まれない第２無線チャンネルを優先して、第２無線通信手段が無線通信に使用するチャンネルに設定するので、第１無線通信手段による無線通信が、第２無線通信手段による無線通信から受ける電波干渉を極力抑制することができるという効果がある。
【００２０】
請求項３記載の通信装置によれば、請求項１または２記載の通信装置の奏する効果に加え、第２チャンネル設定手段は、全ての第２無線チャンネルに対して拡散チャンネルを構成する第１無線チャンネルが含まれる場合、第１無線チャンネルが含まれる数が最も少ない第２無線チャンネルを第２無線通信手段が無線通信に使用するチャンネルに設定する。よって、全ての第２無線チャンネルに対して拡散チャンネルを構成する第１無線チャンネルが重複している場合でも、第１無線通信手段が無線通信に使用する帯域と、第２無線通信手段が無線通信に使用する帯域との重複を極力抑制できるので、第１無線通信手段による無線通信が、第２無線通信手段による無線通信から受ける電波干渉を極力抑制することができるという効果がある。
【００２１】
請求項４記載の通信装置によれば、請求項２または３記載の通信装置の奏する効果に加え、第２チャンネル設定手段は、第２無線通信手段による無線通信に使用される第２無線チャンネルの選択肢が複数存在する場合、その複数存在する第２無線チャンネルのうち、第２無線チャンネルに対応する帯域の中心に位置する第１無線チャンネルの電波の強度が最も弱い第２無線チャンネルを、第２無線通信手段が無線通信に使用するチャンネルに設定する。第２無線通信手段により行われるスペクトラム拡散方式による無線通信では、その無線通信に使用される第２無線チャンネルに対応する帯域の中で、中央に近い周波数の方が無線通信に使用される頻度が高いため、その帯域の中心に位置する第１無線チャンネルの電波の強度が最も弱い第２無線チャンネルを無線通信に使用することで、第２無線通信手段が無線通信において受ける電波干渉を抑制することができるという効果がある。
【００２２】
請求項５記載の通信装置によれば、請求項１から４のいずれかに記載の通信装置の奏する効果に加え、拡散チャンネル設定手段は、状況検出手段により検出される複数の第１無線チャンネルのうち、電波の強度が弱い順に所定数の第１無線チャンネルを設定するので、設定された拡散チャンネルが無線通信に使用される場合に、電波干渉を受ける可能性を低下させることができるという効果がある。
【００２３】
請求項６記載の通信装置によれば、請求項１から５のいずれかに記載の通信装置の奏する効果に加え、状況検出手段により第１無線チャンネルの使用状況が検出されている間、第１無線通信手段および第２無線通信手段により行われる無線通信の送信が禁止されるので、外部装置から出力された電波の強度を検出しているのか、自通信装置から出力された電波の強度を検出しているのかを区別して検出することができる。よって、第１無線通信手段および第２無線通信手段から出力される電波を停止させることで、自通信装置周辺における電波の強度を精度良く検出することができるという効果がある。
【００２４】
請求項７記載の通信装置によれば、請求項１から６のいずれかに記載の通信装置の奏する効果に加え、第２無線チャンネルのそれぞれについて、拡散チャンネルを構成する第１無線チャンネルが含まれる数が計数手段により計数され、その計数された数が重複検出手段により検出される重複値とされる。よって、第２無線チャンネルのそれぞれについての重複値を簡単な処理で算出することができるので、第２無線通信手段が無線通信に使用する第２無線チャンネルの設定を迅速に行うことができるという効果がある。
【発明を実施するための最良の形態】
【００２５】
以下、本発明の好ましい実施形態について、添付図面を参照して説明する。図１は、本発明の実施形態における通信装置を有した多機能周辺装置（以下、「ＭＦＰ（Ｍｕｌｔｉ  Ｆｕｎｃｔｉｏｎ  Ｐｅｒｉｐｈｅｒａｌ）」と称する）１と、パーソナルコンピュータ（以下、「ＰＣ」と称する）５１と、ＤＣＬ子機６１との電気的構成を示したブロック図である。
【００２６】
ＭＦＰ１およびＰＣ５１は、アクセスポイント（図示しない）を介さずに、直接、無線通信２００を行うと共に、その無線通信２００を介して互いにデータ通信が可能に構成されている。また、ＭＦＰ１およびＤＣＬ子機６１は、無線通信３００を介して互いに通話が行えるように構成されている。
【００２７】
本実施形態のＭＦＰ１は、２．４ＧＨｚ帯（２．４ＧＨｚ〜２．５ＧＨｚ）に設けられている８９のＤＣＬチャンネル（ｄｃｈ１〜ｄｃｈ８９）のうち、電波干渉が少ない４５のＤＣＬチャンネルを選択してＤＣＬ子機６１との間で無線通信３００を行い、そして、同じ２．４ＧＨｚ帯に設けられている１４の無線ＬＡＮチャンネル（ｗｃｈ１〜ｗｃｈ１４）のうち、選択された４５のＤＣＬチャンネルに対して電波干渉の影響が最も少ない一の無線ＬＡＮチャンネルを選択してＰＣ５１との間で無線通信２００を行うものである。
【００２８】
次に、ＭＦＰ１の電気的構成について説明する。ＭＦＰ１は、ＣＰＵ１１、ＲＯＭ１２、ＲＡＭ１３、操作ボタン１５、ＬＣＤ１６、無線ＬＡＮ通信制御回路１７、デジタルコードレス通信制御回路（以下、「ＤＣＬ（Ｄｉｇｉｔａｌ  Ｃｏｒｄｌｅｓｓ）通信制御回路」と称する）１９、スキャナ２１、プリンタ２２、送受話器２３、音声処理回路２４、ＮＣＵ２５を主に有している。
【００２９】
ＣＰＵ１１、ＲＯＭ１２、及びＲＡＭ１３は、バスライン２８を介して互いに接続されている。また、送受話器２３とＮＣＵ２５とは、音声処理回路２４に接続されている。更に、操作ボタン１５、ＬＣＤ１６、無線ＬＡＮ通信制御回路１７、ＤＣＬ通信制御回路１９、スキャナ２１、プリンタ２２、音声処理回路２４、ＮＣＵ２５、及びバスライン２８は、入出力ポート２９を介して互いに接続されている。
【００３０】
ＣＰＵ１１は、ＲＯＭ１２やＲＡＭ１３に記憶される固定値やプログラム或いは、無線ＬＡＮ通信制御回路１７、ＤＣＬ通信制御回路１９、またはＮＣＵ２５を介して送受信される各種信号に従って、ＭＦＰ１が有している各機能の制御や、入出力ポート２９と接続された各部を制御する演算装置である。
【００３１】
ＲＯＭ１２は、ＭＦＰ１で実行される制御プログラムなどを格納した書換可能な不揮発性のメモリである。図３のフローチャートに示す通信チャンネル選定処理、図４のフローチャートに示すＤＣＬチャンネル選定処理、および図６のフローチャートに示す無線ＬＡＮチャンネル選定処理を実行する各プログラムは、このＲＯＭ１２に格納されている。
【００３２】
また、ＲＯＭ１２には、チャンネル対応テーブルメモリ１２ａが設けられている。このチャンネル対応テーブルメモリ１２ａは、無線ＬＡＮチャンネル（ｗｃｈ１〜ｗｃｈ１４）と周波数帯域が重複するＤＣＬチャンネル（ｄｃｈ１〜ｄｃｈ８９）を示すチャンネル対応テーブルが格納されるメモリである。
【００３３】
ここで、図２を参照してチャンネル対応テーブルについて説明する。図２は、チャンネル対応テーブルの内容を模式的に示した模式図である。チャンネル対応テーブルは、無線ＬＡＮチャンネルと、ＤＣＬチャンネルとにより構成されており、一の無線ＬＡＮチャンネル毎に、その一の無線ＬＡＮチャンネルと周波数帯域が重複する全てのＤＣＬチャンネルが関連づけられている。
【００３４】
例えば、無線ＬＡＮチャンネル「ｗｃｈ１」で使用される周波数帯域は、ＤＣＬチャンネル「ｄｃｈ４〜ｄｃｈ２５」で使用される周波数帯域と重複しているため、チャンネル対応テーブルにおいて、無線ＬＡＮチャンネル「ｗｃｈ１」と、ＤＣＬチャンネル「ｄｃｈ４〜ｄｃｈ２５」とが関連づけられている。
【００３５】
以下同様に、無線ＬＡＮチャンネル「ｗｃｈ２」と、ＤＣＬチャンネル「ｄｃｈ９〜ｄｃｈ３０」とが関連づけられ、無線ＬＡＮチャンネル「ｗｃｈ３」と、ＤＣＬチャンネル「ｄｃｈ１５〜ｄｃｈ３６」とが関連づけられている。他の無線ＬＡＮチャンネル（ｗｃｈ４〜ｗｃｈ１４）についても同様に、各無線ＬＡＮチャンネルに対して、その無線ＬＡＮチャンネルと周波数帯域が重複する全てのＤＣＬチャンネルが関連づけられているので、その説明を省略する。
【００３６】
ここで図１に戻り、説明を続ける。ＲＡＭ１３は、書き替え可能な揮発性のメモリであり、ＭＦＰ１の各操作の実行時に各種のデータを一時的に記憶するためのメモリである。このＲＡＭ１３には、ＤＣＬチャンネルメモリ１３ａと、無線ＬＡＮチャンネルメモリ１３ｂと、受信電界強度メモリ１３ｃと、無線ＬＡＮチャンネル選定テーブルメモリ１３ｄとが設けられている。
【００３７】
ＤＣＬチャンネルメモリ１３ａは、ＤＣＬ通信制御回路１９が、ＤＣＬ子機６１のＤＣＬ通信制御回路６１ａとの間の無線通信３００に使用する４５のＤＣＬチャンネルが記憶されるメモリである。このＤＣＬチャンネルメモリ１３ａに記憶される４５のＤＣＬチャンネルは、後述するＤＣＬチャンネル選定処理（図４参照）によって決定される。また、決定された各ＤＣＬチャンネルは、ＤＣＬ子機６１に対して通知される。
【００３８】
詳細については後述するが、ＤＣＬ通信制御回路１９は、ホッピング周期（例えば、１／１００秒）毎に、ＤＣＬチャンネルメモリ１３ａに記憶される４５のＤＣＬチャンネルの中から、一のＤＣＬチャンネルを選択してＤＣＬ子機６１との間の無線通信３００を行う。
【００３９】
無線ＬＡＮチャンネルメモリ１３ｂは、無線ＬＡＮ通信制御回路１７がＰＣ５１の無線ＬＡＮ通信制御回路５１ａとの間の無線通信２００に使用する一の無線ＬＡＮチャンネルが記憶されるメモリである。この無線ＬＡＮチャンネルメモリ１３ｂに記憶される一の無線ＬＡＮチャンネルは、後述する無線ＬＡＮチャンネル選定処理（図６参照）によって決定される。また、決定された無線ＬＡＮチャンネルは、ＰＣ５１に対して通知される。
【００４０】
受信電界強度メモリ１３ｃは、ＤＣＬチャンネル（ｄｃｈ１〜ｄｃｈ８９）に対応する帯域の受信電界強度が、各ＤＣＬチャンネル毎に記憶されるメモリである。各ＤＣＬチャンネル（ｄｃｈ１〜ｄｃｈ８９）の受信電界強度は、後述するＤＣＬ通信制御回路１９の受信電界強度測定回路１９ａによって測定され、その測定結果がこの受信電界強度メモリ１３ｃに記憶される（図５（ａ）参照）。
【００４１】
受信電界強度とは、測定対象となる帯域（ここでは、一のＤＣＬチャンネルに対応する帯域）において受信された電波の強度のことを示し、「０」から「１０」までの値で示される。そして、受信電界強度が「０」に近いほど、受信した電波の強度が弱いことを示し、受信電界強度が「１０」に近いほど、受信した電波の強度が強いことを示す。
【００４２】
例えば、測定した一のＤＣＬチャンネルの受信電界強度が「０」であった場合は、測定したＤＣＬチャンネルに対応する帯域において、電波を受信しなかったことを示す。つまり、測定したＤＣＬチャンネルは、ＭＦＰ１周辺における無線通信で使用されていないことを示す。
【００４３】
一方、測定した一のＤＣＬチャンネルの受信電界強度が「１０」であった場合は、測定したＤＣＬチャンネルに対応する帯域において、非常に強い電波を受信したことを示す。具体的には、測定したＤＣＬチャンネルが、ＭＦＰ１周辺における無線通信で使用されており、そのＤＣＬチャンネルをＤＣＬ子機６１との間の無線通信３００に使用すると、電波干渉が生じて通話が行えない状態を示す。なお、その他の受信電界強度（「１」〜「９」）については、受信電界強度「０」と「１０」との間を等分に区切るものである。
【００４４】
無線ＬＡＮチャンネル選定テーブルメモリ１３ｄは、無線ＬＡＮチャンネル選定テーブルが記憶されるメモリである。無線ＬＡＮチャンネル選定テーブルは、各無線ＬＡＮチャンネル（ｗｃｈ１〜ｗｃｈ１４）の中で、ＤＣＬ子機６１との間の無線通信３００に使用される４５のＤＣＬチャンネルに対して、電波干渉が最も少ない無線ＬＡＮチャンネルを選定するためのテーブルである（図７（ａ），（ｂ）参照）。
【００４５】
無線ＬＡＮチャンネル選定テーブルは、無線ＬＡＮチャンネルと、重複値とにより構成されており、一の無線ＬＡＮチャンネル毎に、その一の無線ＬＡＮチャンネルに対応する重複値が関連づけられている。なお、この重複値が小さい無線ＬＡＮチャンネルほど、ＤＣＬ子機６１との間の無線通信３００に使用される４５のＤＣＬチャンネルに対して、電波干渉が少ないことを示す。つまり、この無線ＬＡＮチャンネル選定テーブルにおいて、最も重複値の小さい無線ＬＡＮチャンネル（ｗｃｈ１〜ｗｃｈ１４）が、無線ＬＡＮチャンネルメモリ１３ｂに記憶されることになる。
【００４６】
操作ボタン１５には、無線ＬＡＮによる無線通信機能、ＤＣＬによる無線通信機能、およびプリント機能などの各機能の設定を行うためのボタンや、各種動作の指示を行うための入力ボタンや、電話番号を入力するための数字ボタンなどが設けられている。ＬＣＤ１６は、操作ボタン１５の操作に応じてメニューや動作状態などを表示するための表示デバイスである。ユーザは操作ボタン１５を操作することにより、その操作に対応する情報がＬＣＤ１６に表示される。
【００４７】
無線ＬＡＮ通信制御回路１７は、無線ＬＡＮ用アンテナ１８を有しており、ＰＣ５１の無線ＬＡＮ通信制御回路５１ａとの間で、直接拡散方式（特許請求の範囲に記載のスペクトラム拡散方式の一例）による無線通信２００を行いながら、各種のデータを構成するデジタル信号を送受信する既知の回路であり、ＣＰＵ１１からの指示に応じて、無線通信２００を一時的に停止する機能を有している。
【００４８】
この無線ＬＡＮ通信制御回路１７は、アクセスポイント（図示しない）を介さずに、直接、ＰＣ５１の無線ＬＡＮ通信制御回路５１ａとの間で無線通信２００が可能なアドホックモードで動作しており、無線ＬＡＮチャンネルメモリ１３ｂに記憶されている一の無線ＬＡＮチャンネルを使用して、直接、ＰＣ５１と無線通信２００を行う。なお、この無線通信２００に使用される一の無線ＬＡＮチャンネルが示す帯域の中で、中心周波数に近い周波数ほど、無線通信２００に使用される頻度が高い。
【００４９】
また、無線ＬＡＮチャンネルメモリ１３ｂに記憶される一の無線ＬＡＮチャンネル（ｗｃｈ１〜ｗｃｈ１４の一つ）が変更された場合は、変更された無線ＬＡＮチャンネルをＰＣ５１へ通知し、通知後は、変更された無線ＬＡＮチャンネルが使用して、ＰＣ５１との間で無線通信２００を行う。
【００５０】
ＤＣＬ通信制御回路１９は、ＤＣＬ用アンテナ２０を有しており、ＤＣＬ子機６１のＤＣＬ通信制御回路６１ａとの間で無線通信３００を行いながら、通話の音声を構成するデジタル信号（音声データ）を送受信する回路であり、ＣＰＵ１１からの指示に応じて、無線通信３００を一時的に停止する機能を有している。
【００５１】
このＤＣＬ通信制御回路１９と、ＤＣＬ子機６１のＤＣＬ通信制御回路６１ａとの間では、ホッピング周期（例えば、１／１００秒）毎に、無線通信３００に使用するＤＣＬチャンネルを変更する周波数ホッピング方式により無線通信３００が行われる。
【００５２】
また、ＤＣＬ通信制御回路１９には、受信電界強度測定回路１９ａが設けられている。受信電界強度測定回路１９ａは、測定対象となる帯域（指定した帯域）の受信電界強度を測定する既知の回路である。この受信電界強度測定回路１９ａによって、各ＤＣＬチャンネル（ｄｃｈ１〜ｄｃｈ８９）に対応する帯域の受信電界強度が、各ＤＣＬチャンネル毎に測定されると、その測定結果が、受信電界強度メモリ１３ｃに記憶される。
【００５３】
スキャナ２１は、所定の読取位置（非図示）にセットされた原稿から画像の読み取りを行うと共に、その画像をＬＣＤ１６に表示したりプリンタ２２で印刷可能な画像データを生成するものである。このスキャナ２１により読み取られた画像データは、ＲＡＭ１３における所定の記憶領域に記憶される。
【００５４】
プリンタ２２は、所定の給紙位置（非図示）にセットされた記録用紙に画像を印刷するインクジェット方式のプリンタで構成されている。プリンタ２２は、Ｃ（シアン）、Ｍ（マゼンダ）、Ｙ（イエロー）、Ｋ（ブラック）の４色のインクを使用する印刷ヘッド、紙送り装置、回復装置を備えカラー印刷を行う。印刷ヘッドには複数個のノズル（インク吐出口）が設けられており、ノズルからインク吐出を行いながら、紙送り装置で記録用紙を送り画像を記録用紙に印刷する。
【００５５】
送受話器２３は、通話を行うための装置であり、マイクロフォンとスピーカとを有している。音声処理回路２４は、アナログ音声信号をデジタル信号へ、デジタル信号をアナログ音声信号へ変換する回路であり、ＤＣＬ子機６１から送信されＤＣＬ通信制御回路１９により受信されるデジタル信号をアナログ音声信号に変換して、送受話器２３やＮＣＵ２５へ出力する。
【００５６】
また、送受話器２３に音声が入力された時に出力されるアナログ音声信号、及び、外部装置（図示しない）から電話回線網１００を介してＮＣＵ２５によって受信されるアナログ音声信号をデジタル信号（音声データ）に変換して、ＤＣＬ通信制御回路１９へ出力する。なお、ＤＣＬ通信制御回路１９に入力されたデジタル信号（音声データ）は、無線通信３００を介してＤＣＬ子機６１へ送信される。
【００５７】
ＮＣＵ２５は、電話回線網１００と接続されており、電話回線網１００へのダイヤル信号の送出や、電話回線網１００からの呼出信号の応答などを行って、外部装置（図示しない）との通話を制御するものである。
【００５８】
次に、ＰＣ５１の電気的構成について説明する。ＰＣ５１は、ＭＦＰ１との間で行われる無線通信２００を介して、ＭＦＰ１が有する各種機能を利用するための装置であり、主に、無線ＬＡＮ通信制御回路５１ａを有している。
【００５９】
無線ＬＡＮ通信制御回路５１ａは、無線ＬＡＮ用アンテナ５１ｂを有しており、ＭＦＰ１の無線ＬＡＮ通信制御回路１７との間で、直接拡散方式による無線通信２００を行いながら、各種のデータを構成するデジタル信号を送受信する既知の回路である。
【００６０】
この無線ＬＡＮ通信制御回路５１ａは、アクセスポイント（図示しない）を介さずに、直接、ＭＦＰ１の無線ＬＡＮ通信制御回路１７との間で無線通信２００が可能なアドホックモードで動作しており、ＭＦＰ１の無線通信制御回路１７から通知される無線ＬＡＮチャンネルを使用して、ＭＦＰ１との間で無線通信２００を行う。
【００６１】
次に、ＤＣＬ子機６１の電気的構成について説明する。ＤＣＬ子機６１は、ＭＦＰ１との間で行われる無線通信３００を介して、ＭＦＰ１や電話回線網１００を介して接続される外部装置（図示しない）との間で通話を行うための装置である。ＤＣＬ子機６１は、主に、ＤＣＬ通信制御回路６１ａを有している。
【００６２】
ＤＣＬ通信制御回路６１ａは、ＤＣＬ用アンテナ６１ｂを有しており、親機であるＭＦＰ１のＤＣＬ通信制御回路１９との間で無線通信３００を行いながら、通話の音声を構成するデジタル信号を送受信する既知の回路である。ＤＣＬ通信制御回路６１ａは、ＭＦＰ１のＤＣＬ通信制御回路１９から通知される４５のＤＣＬチャンネルを使用して、周波数ホッピング方式によりＭＦＰ１との間で無線通信３００を行う。
【００６３】
次に、図３を参照して、ＭＦＰ１のＣＰＵ１１により実行される通信チャンネル選定処理について説明する。図３は、ＭＦＰ１の通信チャンネル選定処理を示すフローチャートである。
【００６４】
この通信チャンネル選定処理は、ＤＣＬ通信制御回路１９とＤＣＬ子機６１との間の無線通信３００に使用する４５のＤＣＬチャンネルを選定すると共に、その４５のＤＣＬチャンネルに対して電波干渉が最も少ない無線ＬＡＮチャンネル（ｗｃｈ１〜ｗｃｈ１４の一つ）を選定するための処理である。この通信チャンネル選定処理は、ＭＦＰ１とＤＣＬ子機６１との間、または、電話回線網１００に接続される外部装置（図示しない）とＤＣＬ子機６１との間で、通話が開始される場合に実行される処理である。
【００６５】
この通信チャンネル選定処理では、まず、ＤＣＬ通信制御回路１９および無線ＬＡＮ通信制御回路１７による無線通信２００，３００をそれぞれ停止させ（Ｓ１）、ＲＡＭ１３の各メモリ１３ａ〜１３ｄを初期化し（Ｓ２）、ＤＣＬチャンネル選定処理を実行する（Ｓ３）。
【００６６】
詳細については後述するが、ＤＣＬチャンネル選定処理（Ｓ３）は、ＤＣＬ通信制御回路１９とＤＣＬ子機６１との間の無線通信３００に使用する４５のＤＣＬチャンネルを選定するための処理である。ＤＣＬチャンネル選定処理（Ｓ３）が実行されると、８９のＤＣＬチャンネルの中で、受信電波強度の弱い４５のＤＣＬチャンネルが選定され、その選定された各ＤＣＬチャンネルが、ＲＡＭ１３のＤＣＬチャンネルメモリ１３ａに記憶される。
【００６７】
次に、ＤＣＬ通信制御回路１９の動作を開始させて、ＤＣＬチャンネルメモリ１３ａに記憶されている全て（４５個）のＤＣＬチャンネルを、ＤＣＬ子機６１へ通知し（Ｓ４）、ＤＣＬ子機６１との間で、周波数ホッピング方式による無線通信３００を開始する（Ｓ５）。
【００６８】
次に、無線ＬＡＮチャンネル選定処理を実行する（Ｓ６）。詳細については後述するが、無線ＬＡＮチャンネル選定処理（Ｓ６）は、ＰＣ５１との間の無線通信２００に使用する一の無線ＬＡＮチャンネルを選定するための処理である。無線ＬＡＮチャンネル選定処理（Ｓ６）が実行されると、ＭＦＰ１とＤＣＬ子機６１との間の無線通信３００に使用される４５のＤＣＬチャンネルに対して、最も電波干渉が少ない一の無線ＬＡＮチャンネルが選定され、その選定された無線ＬＡＮチャンネルが、ＲＡＭ１３の無線ＬＡＮチャンネルメモリ１３ｂに記憶される。
【００６９】
次に、無線ＬＡＮ通信制御回路１７の動作を開始させて、無線ＬＡＮチャンネルメモリ１３ｂに記憶されている一の無線ＬＡＮチャンネルを、ＰＣ５１へ通知し（Ｓ７）、ＰＣ５１との間で無線通信２００を開始する（Ｓ８）。
【００７０】
以上の図３のフローチャートの通信チャンネル選定処理により、Ｓ３の処理のＤＣＬチャンネル選定処理によって選定された４５のＤＣＬチャンネルを使用して、ＭＦＰ１とＤＣＬ子機６１との間で、無線通信３００を行うことができる。また、Ｓ６の処理の無線ＬＡＮチャンネル選定処理によって選定された一の無線ＬＡＮチャンネルを使用して、ＭＦＰ１とＰＣ５１との間で、無線通信２００を行うことができる。
【００７１】
また、Ｓ１の処理により、ＭＦＰ１が行う無線通信２００，３００をそれぞれ停止させてから、ＤＣＬチャンネル選定処理（Ｓ３）を実行するので、ＤＣＬチャンネル選定処理（図４参照）において、各ＤＣＬチャンネルの受信電界強度の測定が行われる場合に、外部通信装置（図示しない）からの電波出力により生じた受信電界強度を測定しているのか、ＭＦＰ１からの電波出力により生じた受信電界強度を測定しているのかを区別することができる。つまり、ＭＦＰ１が行う無線通信２００，３００をそれぞれ停止することで、外部通信装置からの電波出力によってＭＦＰ１周辺に生じている電界強度を測定することができるので、受信電界強度を精度良く測定することができる。
【００７２】
次に、図４および図５を参照して、ＭＦＰ１のＣＰＵ１１により実行されるＤＣＬチャンネル選定処理（Ｓ３）について説明する。図４は、ＭＦＰ１のＤＣＬチャンネル選定処理（Ｓ３）を示すフローチャートである。図５（ａ）は、受信電界強度メモリ１３ｃの内容の一例を模式的に示した模式図であり、図５（ｂ）は、ＤＣＬチャンネルメモリ１３ａの内容の一例を模式的に示した模式図である。
【００７３】
このＤＣＬチャンネル選定処理（Ｓ３）は、ＤＣＬ通信制御回路１９とＤＣＬ子機６１との間の無線通信３００に使用する４５のＤＣＬチャンネルを選定するための処理であり、８９のＤＣＬチャンネルの中で、受信電波強度の弱い４５のＤＣＬチャンネルを選定する処理である。
【００７４】
このＤＣＬチャンネル選定処理（Ｓ３）では、まず、ＤＣＬ通信制御回路１９の受信電界強度測定回路１９ａによって、各ＤＣＬチャンネル（ｄｃｈ１〜ｄｃｈ８９）の受信電界強度を、全てのＤＣＬチャンネルについて測定し（Ｓ１１）、その測定結果を、ＲＡＭ１３の受信電界強度メモリ１３ｃに記憶する（Ｓ１２）。
【００７５】
例えば、図５（ａ）に示すように、受信電界強度メモリ１３ｃには、ＤＣＬチャンネル「ｄｃｈ１」および「ｄｃｈ２」の受信電界強度が「７」と記憶され、ＤＣＬチャンネル「ｄｃｈ３」の受信電界強度が「５」と記憶され、ＤＣＬチャンネル「ｄｃｈ５０」および「ｄｃｈ６０」の受信電界強度が「１」と記憶される。また、その他のＤＣＬチャンネルについても同様に、測定された受信電界強度がそれぞれ記憶される。
【００７６】
次に、受信電界強度メモリ１３ｃに記憶されている受信電界強度のうち、受信電界強度が弱い順（値が小さい順）に、４５個のＤＣＬチャンネルを抽出して、ＲＡＭ１３のＤＣＬチャンネルメモリ１３ａに記憶する（Ｓ１３）。
【００７７】
例えば、受信電界強度メモリ１３ｃの内容が、図５（ａ）に示す状態であれば、受信電界強度「１」が最も弱い受信電界強度であるので、まず、ＤＣＬチャンネル「ｄｃｈ５０」および「ｄｃｈ６０」が、図５（ｂ）に示すように、ＤＣＬチャンネルメモリ１３ａに記憶される。そして、以下同様に、４５個のＤＣＬチャンネルの抽出が終了するまで、受信電界強度の弱い順に各ＤＣＬチャンネル（ｄｃｈ１〜ｄｃｈ８９）が、ＤＣＬチャンネルメモリ１３ａに記憶される。
【００７８】
以上の図４のフローチャートのＤＣＬ通信チャンネル選定処理により、８９のＤＣＬチャンネルの中から、受信電界強度が弱い順に４５のＤＣＬチャンネルを、ＭＦＰ１がＤＣＬ子機６１との間の無線通信３００に使用するＤＣＬチャンネルとして設定することができる。
【００７９】
ＤＣＬチャンネルの受信電界強度が弱いほど、そのＤＣＬチャンネルがＭＦＰ１周辺において使用されていない可能性が高い、または、使用されていても電波干渉を受けにくいので、受信電界強度が弱い順に４５のＤＣＬチャンネルを、ＭＦＰ１とＤＣＬ子機６１との間の無線通信３００に使用することで、外部通信装置（図示しない）の無線通信によって電波干渉を受ける可能性を極力低下させることができる。
【００８０】
よって、ＭＦＰ１とＤＣＬ子機６１との間、または、電話回線網１００に接続される外部装置（図示しない）とＤＣＬ子機６１との間で通話が行われる場合に、通話品質が低下する可能性を極力低下させることができる。
【００８１】
次に、図６および図７を参照して、ＭＦＰ１のＣＰＵ１１により実行される無線ＬＡＮチャンネル選定処理について説明する。図６は、ＭＦＰ１の無線ＬＡＮチャンネル選定処理を示すフローチャートである。図７（ａ），（ｂ）は、無線ＬＡＮチャンネル選択テーブルの内容の一例を模式的に示した模式図である。
【００８２】
この無線ＬＡＮチャンネル選定処理（Ｓ６）は、無線ＬＡＮ通信制御回路１７が、ＰＣ５１との間の無線通信２００に使用する一の無線ＬＡＮチャンネルを選定するための処理であり、ＤＣＬ通信制御回路１９とＤＣＬ子機６１との間の無線通信３００に使用される４５のＤＣＬチャンネルに対して、最も電波干渉が少ない一の無線ＬＡＮチャンネルを選定する処理である。
【００８３】
この無線ＬＡＮチャンネル選定処理（Ｓ６）では、まず、ＲＡＭ１３のＤＣＬチャンネルメモリ１３ａに記憶されている４５のＤＣＬチャンネルの中から、ＤＣＬチャンネルを一つ読み取る（Ｓ２１）。例えば、ＤＣＬチャンネルメモリ１３ａの内容が、図５（ｂ）に示す状態であれば、まず、先頭に位置しているＤＣＬチャンネル「ｄｃｈ５０」が読み取られる。
【００８４】
次に、チャンネル対応テーブルメモリ１２ａのチャンネル対応テーブルを参照して、読み取ったＤＣＬチャンネルに対応する（帯域が重複している）無線ＬＡＮチャンネルを全て抽出する（Ｓ２２）。
【００８５】
例えば、先ほど読み取られたＤＣＬチャンネル「ｄｃｈ５０」は、図２のチャンネル対応テーブルにより示される通り、無線ＬＡＮチャンネル「ｗｃｈ６」、「ｗｃｈ７」、「ｗｃｈ８」、「ｗｃｈ９」と帯域が重複しているので、ここでは、４つのＤＣＬチャンネル（ｗｃｈ６〜ｗｃｈ９）が抽出されることになる。
【００８６】
そして、ＲＡＭ１３の無線ＬＡＮチャンネル選定テーブルメモリ１３ｄに記憶される無線ＬＡＮ選定テーブルにおいて、Ｓ２２の処理で抽出した各無線ＬＡＮチャンネルに対応する重複値にそれぞれ「１」を加算する（Ｓ２３）。
【００８７】
例えば、ここでは、図７（ａ）に示すように、無線ＬＡＮチャンネル選択テーブルにおいて、４つのＤＣＬチャンネル（ｗｃｈ６〜ｗｃｈ９）に対応する重複値に、それぞれ「１」が加算される。
【００８８】
次に、ＲＡＭ１３のＤＣＬチャンネルメモリ１３ａに記憶されている全て（４５個）のＤＣＬチャンネルを読み取ったかを判定し（Ｓ２４）、まだ全てのＤＣＬチャンネルを読み取っていない場合は（Ｓ２４：Ｎｏ）、Ｓ２１の処理に戻り、上述したＳ２１〜Ｓ２４の各処理を繰り返す。
【００８９】
つまり、図５（ｂ）に示すＤＣＬチャンネルメモリ１３ａの中の全てのＤＣＬチャンネルを読み取るまで、一つずつＤＣＬチャンネルを読み出し、そのＤＣＬチャンネルと帯域が重複する各無線ＬＡＮチャンネルを抽出し、無線ＬＡＮチャンネル選択テーブルにおいて、抽出した各無線ＬＡＮチャンネルに対応する重複値に「１」を加算する。この処理を繰り返すことで、図７（ｂ）に示す無線ＬＡＮチャンネル選択テーブルが生成される。
【００９０】
一方、全てのＤＣＬチャンネルを読み取った場合は（Ｓ２４：Ｙｅｓ）、無線ＬＡＮチャンネル選定テーブルメモリ１３ｄの無線ＬＡＮ選定テーブルにおいて、重複値が最小値である無線ＬＡＮチャンネルが複数あるかを判定する（Ｓ２５）。
【００９１】
Ｓ２５の処理において、重複値が最小値である無線ＬＡＮチャンネルが一つだけの場合は（Ｓ２５：Ｎｏ）、その重複値が最小値である一つの無線ＬＡＮチャンネルの値を、ＲＡＭ１３の無線ＬＡＮチャンネルメモリ１３ｂに記憶して（Ｓ２６）、この無線ＬＡＮチャンネル選定処理を終了する。
【００９２】
例えば、無線ＬＡＮチャンネル選択テーブルの内容が、図７（ｂ）に示す状態であれば、重複値が「０」である無線ＬＡＮチャンネル「ｗｃｈ１２」が、無線ＬＡＮチャンネルメモリ１３ｂに記憶される。
【００９３】
Ｓ２５の処理において、重複値が最小値である無線ＬＡＮチャンネルが複数ある場合は（Ｓ２５：Ｙｅｓ）、重複値が最小値である複数の無線ＬＡＮチャンネルの中で、各無線ＬＡＮチャンネルの中心周波数が含まれているＤＣＬチャンネルの受信電界強度が最も弱い無線ＬＡＮチャンネル値を、ＲＡＭ１３の無線ＬＡＮチャンネルメモリ１３ｂに記憶して（Ｓ２７）、この無線ＬＡＮチャンネル選定処理を終了する。
【００９４】
ここで、重複値が最小である無線ＬＡＮチャンネルが２つ（「ｗｃｈ１」と「ｗｃｈ８」）ある場合について説明する。無線ＬＡＮチャンネル「ｗｃｈ１」の中心周波数は「２４１２ＭＨｚ」と定められており、その中心周波数は、ＤＣＬチャンネル「ｄｃｈ１４」の中に含まれている。また、無線ＬＡＮチャンネル「ｗｃｈ８」の中心周波数は「２４４７ＭＨｚ」と定められており、その中心周波数は、ＤＣＬチャンネル「ｄｃｈ５２」の中に含まれている。
【００９５】
従って、ＤＣＬチャンネル「ｄｃｈ１４」および「ｄｃｈ５２」の受信電波強度が比較され、その結果、受信電波強度が最も弱いＤＣＬチャンネルに対応する無線ＬＡＮチャンネルが無線ＬＡＮチャンネルメモリ１３ｂに記憶されることになる。
【００９６】
なお、各無線ＬＡＮチャンネル（ｗｃｈ１〜ｗｃｈ１４）の中心周波数を含むＤＣＬチャンネルについては、２．４ＧＨｚ帯において定義されている各無線ＬＡＮチャンネル（ｗｃｈ１〜ｗｃｈ１４）および各ＤＣＬチャンネル（ｄｃｈ１〜ｄｃｈ８９）に基づいて、一意的に決まっているものであるので、その説明を省略する。
【００９７】
以上の図６のフローチャートの通信チャンネル選定処理により、１４の無線ＬＡＮチャンネルの中から、重複値が最小値である一の無線ＬＡＮチャンネルを、ＭＦＰ１がＰＣ５１との間の無線通信２００に使用する無線ＬＡＮチャンネルとして設定することができる。
【００９８】
すなわち、ＭＦＰ１とＤＣＬ子機６１との間の無線通信３００で使用される例えば４５のＤＣＬチャンネルと、周波数帯域の重複が最も少ない一の無線ＬＡＮチャンネルが、無線２００に使用されることになるので、無線通信２００および無線通信３００が同時に行われた場合でも、無線通信３００が、無線通信２００から受ける電波干渉を極力少なくすることができる。
【００９９】
特に、無線通信２００により使用される周波数帯域と、無線通信３００により使用される周波数帯域とが重複していない場合は、無線通信３００が、無線通信２００から受ける電波干渉を最も少なくすることができるので、ＭＦＰ１とＤＣＬ子機６１との間、または、電話回線網１００に接続される外部装置（図示しない）とＤＣＬ子機６１との間で通話が行われる場合に、通話品質が低下する可能性を最も低下させることができる。
【０１００】
また、重複値が最小値である無線ＬＡＮチャンネルが複数ある場合には、その複数の無線ＬＡＮチャンネルの中で、各無線ＬＡＮチャンネルの中心周波数が含まれているＤＣＬチャンネルの受信電界強度が最も弱い無線ＬＡＮチャンネルが、無線通信２００で使用される無線ＬＡＮチャンネルに設定される。上述したように、無線通信２００で使用される一の無線ＬＡＮチャンネルが示す帯域の中で、中心周波数に近い周波数ほど、無線通信２００において使用される頻度が高いので、中心周波数を含むＤＣＬチャンネルの受信電界強度が弱い無線ＬＡＮチャンネルを、無線通信２００で使用することにより、無線通信２００が、外部通信装置（図示しない）による無線通信から受ける電波干渉を抑制することができる。
【０１０１】
また、上述したように、加算および比較を繰り返すという簡単な処理（Ｓ２１〜Ｓ２４）で、各無線ＬＡＮチャンネル（ｗｃｈ１〜ｗｃｈ１４）の重複値を算出しているので、無線通信２００に使用する一の無線ＬＡＮチャンネルを迅速に設定することができる。
【０１０２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。例えば、上記各実施の形態で挙げた数値は一例であり、他の数値を採用することは当然可能である。
【０１０３】
例えば、本実施形態のＭＦＰ１は、無線ＬＡＮ通信制御回路１７と、ＤＣＬ通信制御回路１９とを備えた構成であるが、無線ＬＡＮ通信制御回路１７の代わりに、ＤＣＬ通信制御回路１９と同じ周波数帯域を使用して無線通信を行うその他の通信制御回路（例えば、Ｂｌｕｅｔｏｏｔｈ（登録商標）通信制御回路）であっても良い。もちろん、無線ＬＡＮ通信制御回路１７と、その他の通信制御回路と、ＤＣＬ通信制御回路１９とを備えた構成であっても良い。そして、このような場合でも、その他の通信制御回路が無線通信に使用するチャンネルを、無線通信２００において使用される４５のＤＣＬチャンネルとの重複を避けるように選択することができるので、無線通信２００が、その他の通信制御回路による無線通信から受ける電波干渉を抑制することができる。
【０１０４】
また、本実施形態は、２．４ＧＨｚ帯の一部または全部を使用した無線通信の電波干渉を抑制または低下させるものであるが、例えば、５ＧＨｚ帯や、２．５ＧＨｚ帯など、他の周波数帯域を使用する無線通信においても適用することができる。
【０１０５】
また、本実施形態では、直接拡散方式により無線通信２００を行う無線ＬＡＮ通信制御回路１７が用いられているが、スペクトラム拡散方式により無線通信を行う他の無線通信制御回路を用いても良い。例えば、スペクトル拡散方式の一例である周波数ホッピング方式や、直接拡散方式および周波数ホッピング方式を組み合わせたハイブリッド方式を用いた無線通信制御回路などが該当する。
【０１０６】
また、本実施形態では、受信電界強度を電波干渉（通信状況）の判断基準としているが、ＭＦＰ１のＤＣＬ通信制御回路１９にＢＥＲ（ビットエラーレート）検出回路を設けて、検出されるＢＥＲ値を電波干渉の判断基準としても良い。例えば、ＢＥＲ値が低いほど電波干渉が弱く、ＢＥＲ値が高いほど電波干渉が強いと判断することができる。また、ＢＥＲ検出回路の検出値と、受信電界強度測定回路１９ａの検出値とを組み合わせて判断基準とすれば、さらに精度良く通信状況を判定することができる。
【０１０７】
また、本実施形態では、ＭＦＰ１において受信電界強度を測定しているが、ＤＣＬ子機６１にも受信電界強度測定回路を設け、ＭＦＰ１で測定される受信電界強度と、ＤＣＬ子機６１で測定される受信電界強度とをそれぞれ測定するように構成しても良い。そして、ＭＦＰ１で測定される受信電界強度と、ＤＣＬ子機６１で測定される受信電界強度との値を平均した受信電界強度に基づいて、例えば４５のＤＣＬチャンネルを選択すれば、ＭＦＰ１およびＤＣＬ子機６１において受ける電波干渉をそれぞれ抑制することができる。よって、ＭＦＰ１とＤＣＬ子機６１との間、または、電話回線網１００に接続される外部装置（図示しない）とＤＣＬ子機６１との間で通話が行われる場合に、通話品質の低下を最も抑制することができる。
【０１０８】
また、本実施形態では、受信電界強度を電波干渉（通信状況）の判断基準としているが、ＭＦＰ１のＤＣＬ通信制御回路１９と、ＤＣＬ子機６１のＤＣＬ通信制御回路６１ａとの間において、所定時間内に正常に送受信されたパケット数を判断基準としても良い。正常に送受信されたパケット数が多いほど電波干渉が弱く、正常に送受信されたパケット数が少ないほど電波干渉が強いと判断することができる。また、正常に送受信されたパケット数と、受信電界強度測定回路１９ａの検出値とを組み合わせて判断基準とすれば、さらに精度良く通信状況を判定することができる。
【０１０９】
また、本実施形態では、受信電界強度を測定する（図４のＳ１１の処理）前に、無線ＬＡＮ通信制御回路１７およびＤＣＬ通信制御回路１９による無線通信２００，３００を停止させているが（図３のＳ１の処理）、加えて、ＰＣ５１の無線ＬＡＮ通信制御回路５１ａやＤＣＬ子機６１のＤＣＬ通信制御回路６１ａによる無線通信２００，３００を停止させるように構成しても良い。そうすることで、外部通信装置（図示しない）からの電波出力により生じた電界強度をさらに精度良く測定することができるので、ＭＦＰ１周辺の受信電界強度をさらに精度良く測定することができる。
【図面の簡単な説明】
【０１１０】
【図１】本発明の実施形態における通信装置を有したＭＦＰと、ＰＣと、ＤＣＬ子機との電気的構成を示したブロック図である。
【図２】チャンネル対応テーブルの内容を模式的に示した模式図である。
【図３】ＭＦＰの通信チャンネル選定処理を示すフローチャートである。
【図４】ＭＦＰのＤＣＬチャンネル選定処理を示すフローチャートである。
【図５】（ａ）は受信電界強度メモリの内容の一例を模式的に示した模式図であり、（ｂ）はＤＣＬチャンネルメモリの内容の一例を模式的に示した模式図である。
【図６】ＭＦＰの無線ＬＡＮチャンネル選定処理を示すフローチャートである。
【図７】無線ＬＡＮチャンネル選択テーブルの内容の一例を模式的に示した模式図である。
【図８】無線ＬＡＮおよびＤＣＬで使用される周波数帯域及び周波数チャンネルを示した概略図である。
【符号の説明】
【０１１１】
ｄｃｈ１〜ｄｃｈ８９    ＤＣＬチャンネル（第１無線チャンネルの一例）  
ｗｃｈ１〜ｗｃｈ１４    無線ＬＡＮチャンネル（第２無線チャンネルの一例）
１                ＭＦＰ（通信装置の一例）
１７              無線ＬＡＮ通信制御回路（第２無線通信手段の一例）
１９              ＤＣＬ通信制御回路（選択手段の一例、第１無線通信手段の一例）
１９ａ            受信電界強度測定回路（状況検出手段の一例）
５１              ＰＣ（第２通信装置の一例）
６１              ＤＣＬ子機（第１通信装置の一例）
Ｓ１３            拡散チャンネル設定手段の一例
Ｓ２１〜Ｓ２４    重複検出手段の一例、計数手段の一例
Ｓ２５〜Ｓ２７    第２チャンネル設定手段の一例
【図１】
0004915371.tif 000002
【図２】
0004915371.tif 000003
【図３】
0004915371.tif 000004
【図４】
0004915371.tif 000005
【図５】
0004915371.tif 000006
【図６】
0004915371.tif 000007
【図７】
0004915371.tif 000008
【図８】
0004915371.tif 000009